(57)【要約】【課題】アコースティック音を聞きながら演奏を行えるとともに、音響効果を、好みに応じて自由に調整することができるアコースティックピアノの音響装置を提供する。【解決手段】ピアノ本体に設けられた鍵の押鍵に伴ってアコースティック音を放音するアコースティックピアノの音響装置であって、ピアノ本体の互いに異なる位置に設けられ、放音されたアコースティック音をピックアップし、楽音信号に変換する複数のマイクロホンと、複数のマイクロホンにより変換された複数の楽音信号にそれぞれ処理を施す信号処理装置と、処理された楽音信号を再生することによって、楽音を放音する放音装置と、を備える。【選択図】図３
2007011036.tif 000002
【特許請求の範囲】
【請求項１】
ピアノ本体に設けられた鍵の押鍵に伴ってアコースティック音を放音するアコースティックピアノの音響装置であって、
前記ピアノ本体の互いに異なる位置に設けられ、放音されたアコースティック音をピックアップし、楽音信号に変換する複数のマイクロホンと、
当該複数のマイクロホンにより変換された複数の楽音信号にそれぞれ処理を施す信号処理装置と、
当該処理された楽音信号を再生することによって、楽音を放音する放音装置と、
を備えることを特徴とするアコースティックピアノの音響装置。
【請求項２】
前記放音装置は、スピーカを含むことを特徴とする、請求項１に記載のアコースティックピアノの音響装置。
【請求項３】
前記放音装置は、ヘッドホンを含むことを特徴とする、請求項１または２に記載のアコースティックピアノの音響装置。
【請求項４】
前記信号処理装置は、楽音信号の周波数特性を変調することによって楽音の音質を調整するためのイコライザを含むことを特徴とする、請求項１ないし３のいずれかに記載のアコースティックピアノの音響装置。
【請求項５】
前記信号処理装置は、楽音信号のゲインを調整するためのゲイン調整器を含むことを特徴とする、請求項１ないし４のいずれかに記載のアコースティックピアノの音響装置。
【請求項６】
前記信号処理装置は、楽音信号に残響効果を付加するための残響付加装置を含むことを特徴とする、請求項１ないし５のいずれかに記載のアコースティックピアノの音響装置。
【請求項７】
前記信号処理装置で処理された楽音信号を記録する記録装置をさらに備え、
前記残響付加装置は、前記記録装置に記録される楽音信号と前記放音装置から放音される楽音信号に、互いに異なる深さの残響効果を付加することを特徴とする、請求項６に記載のアコースティックピアノの音響装置。
【請求項８】
前記残響付加装置は、前記放音装置から放音される楽音信号に、前記記録装置に記録される楽音信号よりも深い残響効果を付加することを特徴とする、請求項７に記載のアコースティックピアノの音響装置。
【請求項９】
前記残響付加装置は、前記放音装置から放音される楽音信号に、前記記録装置に記録される楽音信号よりも所定量または所定率深い残響効果を付加することを特徴とする、請求項８に記載のアコースティックピアノの音響装置。
【請求項１０】
前記残響付加装置は、楽音信号に付加する残響効果の深さを変更可能に構成されていることを特徴とする、請求項６ないし９のいずれかに記載のアコースティックピアノの音響装置。
【発明の詳細な説明】
【技術分野】
【０００１】
本発明は、アコースティック音を放音するアコースティックピアノの音響装置に関する。
【背景技術】
【０００２】
従来の電子鍵盤楽器の音響装置として、例えば特許文献１に開示されたものが知られている。この音響装置は、グランド型の電子ピアノに適用されたものであり、複数、例えば７つの楽音信号形成部と、音像虚像化器などで構成されている。複数の楽音信号形成部にはそれぞれ、８８個のすべての鍵に対応した楽音の波形情報が記憶されている。これらの波形情報は、アコースティック型のグランドピアノの互いに異なる７個所で採取した楽音に基づいて、あらかじめ作製したものである。各楽音信号形成部は、鍵の押鍵に伴って、押鍵された鍵の波形情報を読み出し、その波形情報に基づいて楽音信号を生成し、音像虚像化器に出力する。音像虚像化器は、出力された複数の楽音信号を、ＬおよびＲチャンネル用の楽音信号にそれぞれ分岐させ、チャンネルごとに虚像化する。そして、これらの虚像化した複数の楽音信号をそれぞれ累算した後、ＬおよびＲチャンネル用の楽音信号を対応するスピーカにそれぞれ出力する。各スピーカは、出力された楽音信号を再生し、楽音として放音する。これにより、グランド型の電子ピアノにおいて、アコースティック型のグランドピアノから放音される楽音のような奥行きや広がりのある音響効果を得るようにしている。
【０００３】
楽音の音響効果は、演奏する空間（以下「演奏空間」という）の大きさなどに応じて異なる。例えば、ホールのように演奏空間が大きくなると、楽音の残響の度合も大きくなるなど、その音響効果は演奏空間に応じて様々である。しかし、従来の音響装置では、グランドピアノの互いに異なる位置で採取した楽音に基づいてあらかじめ作製した波形情報を用いて、楽音を再現しているだけなので、現在、演奏している演奏空間に応じた音響効果が得られるにすぎない。このため、例えば小さな部屋で演奏を行った場合、大ホールで演奏しているような音の広がりや残響が不足してしまう。また、通常のグランドピアノやアコースティックピアノでは、アコースティック音を直接、放音するだけなので、上記のような問題が同じように生じる。
【０００４】
本発明は、このような課題を解決するためになされたものであり、アコースティック音を聞きながら演奏を行えるとともに、音響効果を、好みに応じて自由に調整することができるアコースティックピアノの音響装置を提供することを目的とする。
【０００５】
【特許文献１】特開平０８−５０４７９号公報
【発明の開示】
【課題を解決するための手段】
【０００６】
この目的を達成するために、請求項１に係る発明は、ピアノ本体に設けられた鍵の押鍵に伴ってアコースティック音を放音するアコースティックピアノの音響装置であって、ピアノ本体の互いに異なる位置に設けられ、放音されたアコースティック音をピックアップし、楽音信号に変換する複数のマイクロホンと、複数のマイクロホンにより変換された複数の楽音信号にそれぞれ処理を施す信号処理装置と、処理された楽音信号を再生することによって、楽音を放音する放音装置と、を備えることを特徴とする。
【０００７】
このアコースティックピアノの音響装置によれば、鍵の押鍵に伴ってピアノからアコースティック音が放音される。また、放音されたアコースティック音は、ピアノ本体の異なる位置に設けた複数のマイクロホンによってピックアップされ、楽音信号にそれぞれ変換される。これらの複数の楽音信号に、信号処理装置によって、それぞれ処理が施される。そして、そのように信号処理された楽音信号は、放音装置によって再生され、楽音として放音される。このように、アコースティックピアノからアコースティック音を直接、放音するので、通常のアコースティックピアノと同様、アコースティック音を聞きながら演奏を行うことができる。また、このアコースティック音に、信号処理が施され、放音装置から放音された楽音が付加される。したがって、信号処理装置による楽音信号の信号処理を適宜、行うことによって、音響効果を好みに応じて自由に調整することができる。
【０００８】
さらに、互いに異なる位置に設けた複数のマイクロホンからアコースティック音をピックアップし、楽音信号ごとに信号処理を施すので、例えば低音域と高音域に相当する位置にマイクロホンを配置し、それぞれの楽音信号に異なる信号処理を施すことによって、音域などに応じて音響特性をきめ細かく調整することができる。
【０００９】
請求項２に係る発明は、請求項１に記載のアコースティックピアノの音響装置において、放音装置は、スピーカを含むことを特徴とする。
【００１０】
この構成によれば、信号処理装置によって信号処理された楽音信号が、放音装置のスピーカによって再生され、放音される。このため、アコースティックピアノから直接、放音されたアコースティック音と、スピーカから放音された楽音を同時に聞きながら演奏を行うことができる。
【００１１】
請求項３に係る発明は、請求項１または２に記載のアコースティックピアノの音響装置において、放音装置は、ヘッドホンを含むことを特徴とする。
【００１２】
この構成によれば、信号処理された楽音信号が、放音装置のヘッドホンによって再生され、放音される。このため、ヘッドホンから放音された楽音を聞きながら演奏を行うことができる。
【００１３】
また、ヘッドホンの使用時には、演奏者はアコースティックピアノからのアコースティック音が聞こえにくくなり、また、ヘッドホンからの楽音が直接、演奏者の耳に入ってくる。このため、ヘッドホンから放音する場合とスピーカから放音する場合において、楽音信号に同じ信号処理を施した場合には、ヘッドホンから放音される残響音が聞こえすぎるおそれがある。このため、例えばヘッドホンから放音する場合には、スピーカから放音する場合よりも、放音される残響音が抑制されるような信号処理を施すことによって、放音装置に応じた適切な音響特性を得ることができる。
【００１４】
請求項４に係る発明は、請求項１ないし３のいずれかに記載のアコースティックピアノの音響装置において、信号処理装置は、楽音信号の周波数特性を変調することによって楽音の音質を調整するためのイコライザを含むことを特徴とする。
【００１５】
この構成によれば、イコライザによって楽音信号の周波数特性を変調するので、放音装置から放音される楽音の音質を調整することができる。また、周波数特性を変調するだけで、例えば大きなグランドピアノ、小さなグランドピアノやアップライトピアノなどのように、現在、演奏しているピアノのタイプに応じた音響効果を得ることができる。
【００１６】
請求項５に係る発明は、請求項１ないし４のいずれかに記載のアコースティックピアノの音響装置において、信号処理装置は、楽音信号のゲインを調整するためのゲイン調整器を含むことを特徴とする。
【００１７】
この構成によれば、ゲイン調整器によって楽音信号のゲインを調整することによって、放音装置から放音される楽音の音量を調整することができる。これにより、アコースティック音との音量のバランスを容易に調整することができる。また、楽音信号ごとにゲインを調整することによって、放音装置から放音される楽音間の音量のバランスも容易に調整することができる。
【００１８】
請求項６に係る発明は、請求項１ないし５のいずれかに記載のアコースティックピアノの音響装置において、信号処理装置は、楽音信号に残響効果を付加するための残響付加装置を含むことを特徴とする。
【００１９】
この構成によれば、信号処理装置の残響付加装置によって楽音信号に残響効果を付加するので、放音装置から放音される楽音に残響効果を付加することができる。このため、例えば、小さな演奏空間で演奏していても、大ホールなどの大きな演奏空間で演奏しているような臨場感のある音響効果を得ることができる。
【００２０】
請求項７に係る発明は、請求項６に記載のアコースティックピアノの音響装置において、信号処理装置で処理された楽音信号を記録する記録装置をさらに備え、残響付加装置は、記録装置に記録される楽音信号と放音装置から放音される楽音信号に、互いに異なる深さの残響効果を付加することを特徴とする。
【００２１】
この構成によれば、信号処理装置で信号処理された楽音信号は、放音装置から楽音として放音されるとともに、記録装置によって記録される。また、残響付加装置は、記録される楽音信号と放音される楽音信号に互いに異なる深さの残響効果を付加する。このように、現在、放音中の楽音と、一旦、記録され、後に再生される楽音に、互いに異なる深さの残響効果を付加することによって、いずれの楽音に対しても良好な残響効果を付加することができる。
【００２２】
請求項８に係る発明は、請求項７に記載のアコースティックピアノの音響装置において、残響付加装置は、放音装置から放音される楽音信号に、記録装置に記録される楽音信号よりも深い残響効果を付加することを特徴とする。
【００２３】
この構成によれば、放音される楽音信号には、記録装置に記録される楽音信号よりも深い残響効果が付加される。それにより、両楽音に残響効果を過不足なく付加することができ、記録される楽音に残響効果が過剰に付加されるのを防止できる一方、放音される楽音には十分な残響効果を付加することができる。
【００２４】
請求項９に係る発明は、請求項８に記載のアコースティックピアノの音響装置において、残響付加装置は、放音装置から放音される楽音信号に、記録装置に記録される楽音信号よりも所定量または所定率深い残響効果を付加することを特徴とする。
【００２５】
この構成によれば、放音される楽音信号には、記録される楽音信号よりも所定量または所定率深い残響効果を付加するので、請求項８に係る発明による前述した効果を容易に得ることができる。
【００２６】
請求項１０に係る発明は、請求項６ないし９のいずれかに記載のアコースティックピアノの音響装置において、残響付加装置は、楽音信号に付加する残響効果の深さを変更可能に構成されていることを特徴とする。
【００２７】
この構成によれば、楽音信号に付加する残響効果の深さを変更可能に構成されているので、楽音の残響の度合を好みに応じてきめ細かく調整することができる。
【発明を実施するための最良の形態】
【００２８】
以下、図面を参照しながら、本発明の好ましい実施形態を詳細に説明する。図１および図２は、本発明の実施形態による音響装置１を適用したグランドピアノ２（アコースティックピアノ）を示している。なお、以下の説明では、グランドピアノ２を演奏者から見た場合の手前側（図２の下側）を「前」、奥側（図２の上側）を「後」とし、さらに左側および右側をそれぞれ「左」および「右」として、説明を行うものとする。
【００２９】
これらの図に示すように、このグランドピアノ２のピアノ本体３は、グランドピアノ２の外形を形成する側板４と、側板４の前部の下部間に水平に固定された棚板６と、４本の支柱７ａおよび積揚７ｂなどを組み立てることによって構成され、その外周面に側板４を取り付けるとともに、張設された弦（図示せず）を支持する支柱組立品７と、支柱組立品７の上面に取り付けられた響板８などを備えている。
【００３０】
棚板６上には、複数（例えば８８個）の鍵９が載置されている。鍵９の上面後端部にはアクション（図示せず）が載置されており、アクションの上側には、鍵９ごとにハンマー（図示せず）が設けられている。
【００３１】
以上の構成によれば、鍵９の押鍵に伴ってアクションが作動し、それにより、ハンマーが弦を打弦することにより振動させ、この弦の振動が響板８に伝達され、響板８が振動することによって、アコースティック音が放音される。
【００３２】
図３および図４に示すように、音響装置１は、左右のチャンネル用のマイクロホン１０Ｌ，１０Ｒ、信号処理装置１１、ＣＤ−Ｒドライブ１８（記録装置）、Ｄ／Ａ変換器１９Ｌ，１９Ｒ、パワーアンプ２０Ｌ，２０Ｒ、スピーカ２１Ｌ，２１Ｒ（放音装置）およびヘッドホン２２（放音装置）で構成されており、さらに操作パネル（図示せず）を備えている。なお、スピーカ２１Ｌ，２１Ｒは、例えば譜面台組立品５の左右の本持左右板５Ｌ，５Ｒ上に配置されている（図１参照）。
【００３３】
マイクロホン１０Ｌ，１０Ｒはそれぞれ、グランドピアノ２から放音されたアコースティック音をピックアップし、アナログの楽音信号ＳＬ，ＳＲに変換するためのものであり、図２に示すように、最低音側および最高音側の支柱７の前端部に取り付けられている。マイクロホン１０Ｌ，１０Ｒは、例えばダイナミックマイクロホンで構成されており、電磁コイルと、電磁コイルに連結された振動板（ともに図示せず）などを備えている。各振動板は、響板８から放音されたアコースティック音によって振動し、この振動に比例した起電力が電磁コイルに生じる。以上の構成により、左チャンネルのマイクロホン１０Ｌから、低音域成分を多く含む楽音信号ＳＬが、右チャンネルのマイクロホン１０Ｒから、高音域成分を多く含む楽音信号ＳＲが、信号処理装置１１にそれぞれ出力される。
【００３４】
信号処理装置１１は、楽音信号ＳＬ，ＳＲに信号処理を施すことによって、音響効果を調整するためのものであり、図３に示すように、ゲイン調整器１２Ｌ，１２Ｒ、ローパスフィルタ１３Ｌ，１３Ｒ、Ａ／Ｄ変換器１４Ｌ，１４Ｒ、イコライザ１５Ｌ，１５Ｒおよび残響付加装置２３で構成されている。
【００３５】
ゲイン調整器１２Ｌ，１２Ｒは、マイクロホン１０Ｌ，１０Ｒから出力された楽音信号ＳＬ，ＳＲのゲインを互いに独立して調整することによって、楽音信号ＳＬ，ＳＲのレベルを調整した後、ローパスフィルタ１３Ｌ，１３Ｒにそれぞれ出力する。また、ゲイン調整器１２Ｌ，１２Ｒは、Ａ／Ｄ変換器１４Ｌ，１４Ｒの入力ダイナミックレンジを超えないように楽音信号ＳＬ，ＳＲのゲインを調整し、それにより、Ａ／Ｄ変換器１４Ｌ，１４Ｒでのレベルオーバを防止する。なお、このゲインの設定は、操作パネルを操作することによって行われる。
【００３６】
ローパスフィルタ１３Ｌ，１３Ｒは、楽音信号ＳＬ，ＳＲのうち、所定の周波数（例えば２０ｋＨｚ）以上の周波数成分を減衰させるとともに、それ以下の周波数成分を通過させ、Ａ／Ｄ変換器１４Ｌ，１４Ｒに出力する。これにより、Ａ／Ｄ変換器１４Ｌ，１４Ｒには、ノイズ成分を除去した楽音信号ＳＬ，ＳＲが出力される。
【００３７】
Ａ／Ｄ変換器１４Ｌ，１４Ｒは、楽音信号ＳＬ，ＳＲをアナログ信号からデジタル信号に変換することによって、楽音信号ＳＬＤ，ＳＲＤを生成し、イコライザ１５Ｌ，１５Ｒにそれぞれ出力する。
【００３８】
イコライザ１５Ｌ，１５Ｒは、楽音信号ＳＬＤ，ＳＲＤを互いに独立して変調することによって、楽音の周波数特性を変調し、楽音の音質を楽音信号ＳＬＤ，ＳＲＤごとに調整する。イコライザ１５Ｌ，１５Ｒで変調された楽音信号ＳＬＤ，ＳＲＤは、２系統に分岐した後、残響付加装置２３に出力される。なお、この周波数特性の設定は、操作パネルを操作することによって行われる。
【００３９】
残響付加装置２３は、放音用の第１リバーブ回路１６Ｌ，１６Ｒと、記録用の第２リバーブ回路１７Ｌ，１７Ｒで構成されている。イコライザ１５Ｌから出力され、分岐した２つの楽音信号ＳＬＤ，ＳＬＤはそれぞれ、第１リバーブ回路１６Ｌと第２リバーブ回路１７Ｌに出力される。同様に、イコライザ１５Ｒから出力され、分岐した２つの楽音信号ＳＲＤ，ＳＲＤはそれぞれ、第１リバーブ回路１６Ｒと第２リバーブ回路１７Ｒに出力される。
【００４０】
第１リバーブ回路１６Ｌ，１６Ｒはそれぞれ、所定の残響パターンに応じて、楽音信号ＳＬＤ，ＳＲＤから遅延時間の互いに異なる複数の楽音信号を生成するとともに、生成したこれらの複数の楽音信号を、もとの楽音信号ＳＬＤ，ＳＲＤに加算する。これにより、楽音信号ＳＬＤ，ＳＲＤに残響効果が付加され、その後、楽音信号ＳＬＤ，ＳＲＤはＤ／Ａ変換器１９Ｌ，１９Ｒにそれぞれ出力される。なお、第１リバーブ回路１６Ｌ，１６Ｒは、遅延される楽音信号の数および遅延時間を変更することにより、残響効果の深さを変更できるように構成されている。また、残響効果の深さの設定は、操作パネルを操作することによって行われる。さらに、第１リバーブ回路１６Ｌ，１６Ｒには、ヘッドホン２２のジャック（図示せず）が差し込まれているときにヘッドホン２２の使用を表す信号が出力され、この信号の出力時、第１リバーブ回路１６Ｌ，１６Ｒは、より浅い残響効果を楽音信号ＳＬＤ，ＳＲＤに付加するように構成されている。
【００４１】
第２リバーブ回路１７Ｌ，１７Ｒは、第１リバーブ回路１６Ｌ，１６Ｒと同様、所定の残響パターンに応じて、楽音信号ＳＬＤ，ＳＲＤから遅延時間の互いに異なる複数の楽音信号を生成するとともに、生成したこれらの複数の楽音信号を、もとの楽音信号ＳＬＤ，ＳＲＤに加算することによって、楽音信号ＳＬＤ，ＳＲＤに残響効果を付加した後、ＣＤ−Ｒドライブ１８に出力する。なお、第２リバーブ回路１７Ｌ，１７Ｒもまた、遅延される楽音信号の数および遅延時間を変更することにより、残響効果の深さを変更できるように構成されている。また、この残響効果の深さは、操作パネルによって設定した第１リバーブ回路１６Ｌ，１６Ｒの残響効果の深さに応じて、それよりも所定量または所定率浅くなるように設定される。
【００４２】
ＣＤ−Ｒドライブ１８は、楽音信号ＳＬＤ，ＳＲＤを記録または再生するためのものであり、記録モードにおいては、楽音信号ＳＬＤ，ＳＲＤをＣＤ−Ｒ１８ａに記録し、再生モードにおいては、記録した楽音信号ＳＬＤ，ＳＲＤをＣＤ−Ｒ１８ａから読み出し、Ｄ／Ａ変換器１９Ｌ，１９Ｒに出力する。
【００４３】
Ｄ／Ａ変換器１９Ｌ，１９Ｒはそれぞれ、第１リバーブ回路１６Ｌ，１６ＲまたはＣＤ−Ｒドライブ１８から出力された楽音信号ＳＬＤ，ＳＲＤをデジタル信号からアナログ信号に変換することによって、楽音信号ＳＬＡ，ＳＲＡを生成し、スイッチ（図示せず）を介してパワーアンプ２０Ｌ，２０Ｒまたはヘッドホン２２に出力する。なお、このスイッチの切り換えは、ヘッドホン２２のジャックの抜き差しに連動して行われる。パワーアンプ２０Ｌ，２０Ｒは、これらの楽音信号ＳＬＡ，ＳＲＡを所定の利得で増幅し、対応するスピーカ２１Ｌ，２１Ｒにそれぞれ出力する。
【００４４】
スピーカ２１Ｌ，２１Ｒは、楽音信号ＳＬＡ，ＳＲＡを再生し、楽音を放音する。また、Ｄ／Ａ変換器１９Ｌ，１９Ｒによって変換されたアナログの楽音信号ＳＬＡ，ＳＲＡは、ヘッドホン２２に出力され、ヘッドホン２２は、これらを再生し、楽音を放音する。
【００４５】
次に、上記構成の音響装置１の動作を説明する。音響装置１の動作モードは、グランドピアノ２の演奏時に、そのアコースティック音と同時に楽音を放音する演奏モードと、ＣＤ−Ｒ１８ａに記録した楽音信号ＳＬＤ，ＳＲＤを再生し、放音する再生モードに大別され、演奏モードはさらに、演奏と同時に楽音信号ＳＬＤ，ＳＲＤを記録する記録モードと、記録しない非記録モードに分けられる。これらの動作モードの切り換えは、操作パネルを操作することによって行われる。
【００４６】
演奏モード時には、グランドピアノ２の演奏に伴って放音されたアコースティック音は、マイクロホン１０Ｌ，１０Ｒによってピックアップされた後、楽音信号ＳＬ，ＳＲに変換される。次に、楽音信号ＳＬ，ＳＲはそれぞれ、信号処理装置１１のゲイン調整器１２Ｌ，１２Ｒによってゲイン調整された後、ローパスフィルタ１３Ｌ，１３Ｒを通り、Ａ／Ｄ変換器１４Ｌ，１４Ｒでデジタルの楽音信号ＳＬＤ，ＳＲＤに変換される。次いで、楽音信号ＳＬＤ，ＳＲＤはそれぞれ、イコライザ１５Ｌ，１５Ｒによって周波数変調された後、２組に分岐する。１組の楽音信号ＳＬＤ，ＳＲＤには、放音用の第１リバーブ回路１６Ｌ，１６Ｒによって残響効果が付加される。この場合、再生をスピーカ２１Ｌ，２１Ｒで行う場合には、ヘッドホン２２で行う場合よりも深い残響効果が付加される。
【００４７】
その後、残響効果が付加された楽音信号ＳＬＤ，ＳＲＤは、Ｄ／Ａ変換器１９Ｌ，１９Ｒでアナログの楽音信号ＳＬＡ，ＳＲＡに変換された後、スイッチの切り換え状態に応じ、スピーカ２１Ｌ，２１Ｒまたはヘッドホン２２で再生されることによって、楽音として放音される。これにより、グランドピアノ２から直接、放音されたアコースティック音に加えて、スピーカ２１Ｌ，２１Ｒまたはヘッドホン２２から放音された楽音を同時に聞きながら演奏を行うことができる。
【００４８】
また、上記に加えて、記録モード時には、他方の１組の楽音信号ＳＬＤ，ＳＲＤは、記録用の第２リバーブ回路１７Ｌ，１７Ｒによって、放音用の楽音信号ＳＬＤ，ＳＲＤよりも所定量または所定率浅い残響効果が付加された後、ＣＤ−Ｒドライバ１８によってＣＤ−Ｒ１８ａに記録される。
【００４９】
また、再生モード時には、グランドピアノ２の演奏を行わない状態で、ＣＤ−Ｒ１８ａに記録された楽音信号ＳＬＤ，ＳＲＤをＣＤ−Ｒドライブ１８によって再生した後、デジタルからアナログの楽音信号ＳＬＡ，ＳＲＡに変換し、スピーカ２１Ｌ，２１Ｒまたはヘッドホン２２からのみ楽音として放音する。
【００５０】
以上のように、本実施形態によれば、演奏モード時には、グランドピアノ２からアコースティック音を直接、放音するので、このアコースティック音を聞きながら演奏を行うことができる。また、このアコースティック音に、信号処理装置１１によって信号処理を施し、スピーカ２１Ｌ，２１Ｒまたはヘッドホン２２から放音した楽音が付加される。したがって、信号処理装置１１による楽音信号ＳＬ，ＳＲの信号処理を適宜、行うことによって、音響効果を好みに応じて自由に調整することができる。また、既存のアコースティックピアノに音響装置１を付加するだけで、音響効果を容易に調整することができる。
【００５１】
さらに、グランドピアノ２の最低音側および最高音側にそれぞれ配置したマイクロホン１０Ｌ，１０Ｒからアコースティック音をピックアップし、楽音信号ＳＬ，ＳＲごとに信号処理を施すので、音域に応じて音響特性をきめ細かく調整することができる。
【００５２】
さらに、信号処理装置１１のゲイン調整器１２Ｌ，１２Ｒにより、楽音のゲインを互いに独立して調整することによって、アコースティック音との音量バランスを調整するとともに、スピーカ２１Ｌ，２１Ｒまたはヘッドホン２２から放音される楽音間の音量バランスも容易に調整することができる。
【００５３】
また、イコライザ１５Ｌ，１５Ｒによって楽音の周波数特性を変調するので、スピーカ２１Ｌ，２１Ｒまたはヘッドホン２２から放音される楽音の音質を調整することができる。また、楽音の周波数特性を変調するだけで、大きなグランドピアノ、小さなグランドピアノやアップライトピアノなどのように、現在、演奏しているピアノのタイプに応じた音響効果を得ることができる。
【００５４】
さらに、第１リバーブ回路１６Ｌ，１６Ｒによって、スピーカ２１Ｌ，２１Ｒまたはヘッドホン２２から放音される楽音に残響効果を付加するので、例えば小さな演奏空間で演奏していても、大ホールなどの大きな演奏空間で演奏してるような臨場感のある音響効果を得ることができる。また、ヘッドホン２２から放音する場合には、スピーカ２１Ｌ，２１Ｒから放音する場合よりも、浅い残響効果を楽音に付加することによって、使用する放音装置に応じた適切な音響特性をそれぞれ得ることができる。
【００５５】
また、ＣＤ−Ｒドライブ１８に記録する場合には、スピーカ２１Ｌ，２１Ｒまたはヘッドホン２２から放音する場合よりも、浅い残響効果を付加するので、両楽音に残響効果を過不足なく付加することができる。その結果、記録用の楽音に残響効果が過剰に付加されるのを防止できる一方、放音用の楽音には十分な残響効果を付加することができる。また、放音用の楽音に、所定量または所定率深い残響効果を付加するので、上記の効果を容易に得ることができる。さらに、残響効果の深さが変更可能であるので、楽音の残響の度合を好みに合わせてきめ細かく調整することができる。
【００５６】
図５は、実施形態の残響付加装置２３に代わる残響付加装置の変形例を示している。この変形例では、残響付加装置３０は、左右のチャンネル用の残響付加装置３０Ｌ，３０Ｒで構成されている。左チャンネル用の残響付加装置３０Ｌは、リバーブ回路３１Ｌ、２つの乗算器３２Ｌ，３３Ｌ、および２つの加算器３４Ｌ，３５Ｌで構成され、また、これと同様に、右チャンネル用の残響付加装置３０Ｒは、リバーブ回路３１Ｒ、２つの乗算器３２Ｒ，３３Ｒおよび２つの加算器３４Ｒ，３５Ｒで構成されている。これらの残響付加装置３０Ｌ，３０Ｒは、互いに同じ構成を有するので、以下、これらを代表して、左チャンネル用の残響付加装置３０Ｌについて説明する。
【００５７】
リバーブ回路３１Ｌは、実施形態の第１リバーブ回路１６Ｌ，１６Ｒと同様に構成され、イコライザ１５Ｌから入力された楽音信号ＳＬＤに所定の残響効果を付加する。残響効果が付加された楽音信号ＳＬＤは、一方の乗算器３２Ｌに出力され、所定の利得で増幅された後、一方の加算器３４Ｌに出力される。加算器３４Ｌは、この楽音信号と、イコライザ１５Ｌからリバーブ回路３１Ｌを経ないで直接、出力された楽音信号ＳＬＤとを加算した後、スイッチ（図示せず）を介してＤ／Ａ変換器１９Ｌに出力する。
【００５８】
また、イコライザ１５Ｌからの楽音信号ＳＬＤは、他方の乗算器３３Ｌによって、所定の利得で増幅された後、他方の加算器３５Ｌに出力される。加算器３５Ｌは、この楽音信号と、リバーブ回路３１Ｌから出力された楽音信号とを加算した後、ＣＤ−Ｒドライブ１８に出力するとともに、スイッチを介してＤ／Ａ変換器１９Ｌに出力する。
【００５９】
なお、上記スイッチの切り換えは、実施形態のスイッチと同様、ヘッドホン２２のジャックの抜き差しに連動して行われ、このジャックが差し込まれているときには、加算器３５Ｌからの楽音信号ＳＬＤがＤ／Ａ変換器１９Ｌに出力され、アナログの楽音信号ＳＬＡに変換された後、ヘッドホン２２で再生されることにより、楽音として放音される。一方、ヘッドホン２２のジャックが差し込まれていないときには、加算器３４Ｌからの楽音信号ＳＬＤがＤ／Ａ変換器１９Ｌに出力され、アナログの楽音信号ＳＬＡに変換された後、パワーアンプ２０Ｌを介して、スピーカ２１Ｌから楽音として放音される。
【００６０】
以上のように、一方の加算器３４Ｌによって、イコライザ１５Ｌから出力された楽音信号ＳＬＤと、残響効果が付加された後、増幅された楽音信号とを加算することにより、より深い残響効果を付加した楽音信号ＳＬＤが、Ｄ／Ａ変換器１９Ｌなどを介してスピーカ２１Ｌに出力される。
【００６１】
一方、他方の加算器３５Ｌによって、所定の利得で増幅されたイコライザ１５Ｌからの楽音信号と、リバーブ回路３１Ｌで残響効果を付加した楽音信号とを加算することにより、より浅い残響効果を付加した楽音信号ＳＬＤが、ＣＤ−Ｒドライブ１８に出力される。
【００６２】
右チャンネル用の残響付加装置３０Ｒでは、加算器３４Ｒ，３５Ｒによる加算が同様に行われることによって、より深い残響効果を付加した楽音信号ＳＲＤがスピーカ２１Ｒに出力され、より浅い残響効果を付加した楽音信号ＳＲＤがＣＤ−Ｒドライブ１８に出力される。
【００６３】
以上の構成によれば、ＣＤ−Ｒドライブ１８に記録する場合には、スピーカ２１Ｌ，２１Ｒで放音する場合よりも、浅い残響効果を付加するので、両楽音に残響効果を過不足なく容易に付加できるなど、実施形態と同様の効果を得ることができる。また、ヘッドホン２２から放音する場合には、スピーカ２１Ｌ，２１Ｒから放音する場合よりも、浅い残響効果を付加するので、実施形態と同様、使用する放音装置に応じた適切な音響特性をそれぞれ得ることができる。さらに、４つのリバーブ回路１６Ｌ，１６Ｒ，１７Ｌ，１７Ｒを必要とする実施形態と比較して、リバーブ回路を半減させることができる。
【００６４】
なお、本発明は、説明した実施形態に限定されることなく、種々の態様で実施することができる。例えば、実施形態では、２つのマイクロホン１０Ｌ，１０Ｒを用いているが、その数を任意に増やしてもよく、その場合には、それに応じてゲイン調整器や第１および第２リバーブ回路などの数を増やせばよい。それにより、音響効果をきめ細かく調整できる。さらに、実施形態は、本発明をグランドピアノに適用した例であるが、本発明はこれに限らず、アップライトピアノに適用してもよいことは、もちろんである。その他、本発明の趣旨の範囲内で、細部を適宜、変更することが可能である。
【図面の簡単な説明】
【００６５】
【図１】本発明の実施形態による音響装置、およびこれを適用したグランドピアノの斜視図である。
【図２】図１のグランドピアノの一部を省略した底面図である。
【図３】図１の音響装置を示す図である。
【図４】図３の続きを示す図である。
【図５】図３の残響付加装置の変形例を示す図である。
【図６】図５の続きを示す図である。
【符号の説明】
【００６６】
１  音響装置
２  グランドピアノ（アコースティックピアノ）
３  ピアノ本体
９  鍵
１０Ｌ  マイクロホン
１０Ｒ  マイクロホン
１１  信号処理装置
１２Ｌ  ゲイン調整器
１２Ｒ  ゲイン調整器
１５Ｌ  イコライザ
１５Ｒ  イコライザ
１８  ＣＤ−Ｒドライブ（記録装置）
２１Ｌ  スピーカ（放音装置）
２１Ｒ  スピーカ（放音装置）
２２  ヘッドホン（放音装置）
２３  残響付加装置
３０  残響付加装置
ＳＬ  楽音信号
ＳＲ  楽音信号
【図１】
2007011036.tif 000003
【図２】
2007011036.tif 000004
【図３】
2007011036.tif 000005
【図４】
2007011036.tif 000006
【図５】
2007011036.tif 000007
【図６】
2007011036.tif 000008